(57)【要約】【課題】室内側窓面に簡単に取り付けることができ、また、取り外しも容易で、夏期使用時には日射を遮り、冬期使用時には窓の冷気を防ぎ、以て、良好な室内環境を維持することができ、しかも廉価にて供給し得る窓用シェードを提供することを課題とする。【解決手段】透明フィルム２の表面に金属蒸着層３を形成し、金属蒸着層３の上に補強材５を貼り合わせたシート１を設け、シート１を室内側窓面に吊下可能にして成る。シート１は、その上端部を吸盤付きクリップ６のクリップ部７で摘持して吊下するようにされ、シート１の上端部に、クリップ部７からの脱落防止手段が配備される。脱落防止手段としては、ステイプラー止め９が簡便である。また、シート１の下端部に、適宜重り１０が配設される。【選択図】図１
2013147815.tif 000002
【特許請求の範囲】
【請求項１】
透明フィルムの表面に金属蒸着層を形成し、前記金属蒸着層の上に補強材を貼り合わせた透視可能なシートを設け、前記シートを室内側の窓面に吊下配設可能にし、且つ、表裏変更しての使用を可能にして成る窓用シェード。
【請求項２】
前記シートの上端部を吸盤付きクリップのクリップ部で摘持して吊下するようにした、請求項１に記載の窓用シェード。
【請求項３】
前記シートの上縁部の少なくとも被挟持部分に、前記クリップ部からの脱落防止手段を配した、請求項２に記載の窓用シェード。
【請求項４】
前記脱落防止手段はステイプラー止めである、請求項３に記載の窓用シェード。
【請求項５】
前記脱落防止手段は、断面Ｕ字状であって対向する内側面に、前記シートの上縁部を挟んで係合し合う係合手段を有する弾性クリップである、請求項３に記載の窓用シェード。
【請求項６】
前記シートの下端部に重りを配した、請求項１乃至５のいずれかに記載の窓用シェード。
【請求項７】
請求項５に記載の前記弾性クリップで前記シートの下縁部を挟持させて前記重りとする、請求項６に記載の窓用シェード。
【請求項８】
前記透明フィルムはポリプロピレンフィルム、ポリエステルフィルム、ポリエチレンフィルムのいずれかである、請求項１乃至７のいずれかに記載の窓用シェード。
【請求項９】
前記金属蒸着層の抵抗値は７〜１２Ω／□の範囲とされる、請求項１乃至８のいずれかに記載の窓用シェード。
【請求項１０】
前記補強材は、透明なポリエチレン繊維を熱圧着して形成される、請求項１乃至９のいずれかに記載の窓用シェード。
【請求項１１】
透明フィルムの表面に金属蒸着層を形成し、前記金属蒸着層の上に透明なポリエチレン繊維を熱圧着して形成した補強材を貼り合わせた透視可能なシートを設け、前記シートの上端部を吸盤付きクリップのクリップ部で摘持して室内側の窓面に吊下配設可能にし、且つ、表裏変更しての使用を可能にし、前記シートの上縁部に、前記クリップ部に係止される脱落防止手段を配して成る窓用シェード。
【請求項１２】
前記脱落防止手段はステイプラー止め、又は、断面Ｕ字状であって対向する内側面に、前記シートの上縁部を挟んで係合し合う係合手段を有する弾性クリップである、請求項１１に記載の窓用シェード。
【請求項１３】
前記透明フィルムはポリプロピレンフィルム、ポリエステルフィルム、ポリエチレンフィルムのいずれかであり、前記金属蒸着層の抵抗値は７〜１２Ω／□の範囲であり、前記補強材は、透明なポリエチレン繊維を熱圧着して形成される、請求項１１又は１２に記載の窓用シェード。
【発明の詳細な説明】
【技術分野】
【０００１】
本発明は、窓用シェードに関するものであり、より詳細には、夏期には遮熱のために、冬期には防寒のために窓を覆うように装着する窓用シェードに関するものである。
【背景技術】
【０００２】
例えば、夏期には、日除けのために窓の外側に簾を掛けることが一般的である。しかし、簾は、夏期にのみ用いられて単に日除けの機能を果たすに過ぎず、冬期に防寒用途に使用することはできない。そして、簾使用時は室内が暗くなるおそれがあり、また、室内側から簾を通して外を見ることは困難である。
【０００３】
また近時、遮熱や防寒のために、窓に遮熱・防寒シートを直接張着することも行われているが、その場合、遮熱・防寒シートが熱を吸収し、窓ガラスの熱割れを引き起こすことがある。また、不要時や交換時に剥離することが容易ではないという問題もある。
【０００４】
また、窓に、遮熱・防寒スプレー剤を吹きかけて被膜を形成することも行われているが、その場合は、例えば、冬の晴れた日中に日射熱を室内に取り込むことが阻害されるおそれがあるという問題がある。もちろん、スプレー剤を除去すれば日射熱を取り込むことが可能となるが、その場合は、夜間に再度スプレー剤を塗布しなければならない煩わしさがあり、その分手間がかかるという問題がある。
【先行技術文献】
【特許文献】
【０００５】
【特許文献１】特開２０１０−１２０６２２号公報
【特許文献２】実開昭６２−１６４８９３号公報
【発明の概要】
【発明が解決しようとする課題】
【０００６】
上述したように、従来より遮熱・防寒のために種々の手段が講じられてきているが、それぞれ上記のような問題があった。そこで本発明は、上述したような問題がなく、室内側窓面に簡単に取り付けることができ、また、取り外しも容易で、夏期使用時には日射を遮り、冬期使用時には窓の冷気を防ぎ、以て、良好な室内環境を維持することができ、しかも廉価にて供給し得る窓用シェードを提供することを課題とする。
【課題を解決するための手段】
【０００７】
上記課題を解決するための請求項１に記載の発明は、透明フィルムの表面に金属蒸着層を形成し、前記金属蒸着層の上に補強材を貼り合わせた透視可能なシートを設け、前記シートを室内側の窓面に吊下配設可能にし、且つ、表裏変更しての使用を可能にして成る窓用シェードである。
【０００８】
一実施形態においては、前記シートの上端部を吸盤付きクリップのクリップ部で摘持して吊下するようにされ、また、前記シートの上縁部の少なくとも被挟持部分に、前記クリップ部からの脱落防止手段が配設される。前記脱落防止手段はステイプラー止めとされ、あるいは、断面Ｕ字状であって対向する内側面に、前記シートの上縁部を挟んで係合し合う係合手段を有する弾性クリップとされる。
【０００９】
一実施形態においては、前記シートの下端部に重りが配設される。その場合、前記弾性クリップで前記シートの下縁部を挟持させて前記重りとすることができる。
【００１０】
一実施形態においては、前記透明フィルムはポリプロピレンフィルム、ポリエステルフィルム、ポリエチレンフィルムのいずれかとされ、また、前記金属蒸着層の抵抗値は７〜１２Ω／□の範囲とされ、また、前記補強材は、透明なポリエチレン繊維を熱圧着して形成される。
【００１１】
上記課題を解決するための請求項１１に記載の発明は、透明フィルムの表面に金属蒸着層を形成し、前記金属蒸着層の上に透明なポリエチレン繊維を熱圧着して形成した補強材を貼り合わせた透視可能なシートを設け、前記シートの上端部を吸盤付きクリップのクリップ部で摘持して室内側の窓面に吊下配設可能にし、且つ、表裏変更しての使用を可能にし、前記シートの上縁部に、前記クリップ部に係止される脱落防止手段を配して成る窓用シェードである。
【００１２】
前記脱落防止手段はステイプラー止め、又は、断面Ｕ字状であって対向する内側面に、前記シートの上縁部を挟んで係合し合う係合手段を有する弾性クリップとすることができる。また、一実施形態においては、前記透明フィルムはポリプロピレンフィルム、ポリエステルフィルム、ポリエチレンフィルムのいずれかとされ、前記金属蒸着層の抵抗値は７〜１２Ω／□の範囲とされ、また、前記補強材は、透明なポリエチレン繊維を熱圧着して形成される。
【発明の効果】
【００１３】
本発明は上述したとおりであって、構成簡易であって極めて廉価にて供給でき、吸盤付きクリップ等を用いて室内側窓面に簡単に吊下することができ、不使用時や交換時における取り外しも容易で、夏期には日射を遮って室内が加熱されることを防止し、冬期には室内の熱を反射して熱が逃げることを防止することができ、以て、一年中室内環境を好適に維持し得る効果がある。      
【００１４】
また、シートは、透明フィルムの表面に金属蒸着層を形成し、前記金属蒸着層の上に補強材を貼り合わせたものであるためにある程度の透視性があって、室内側から屋外を透視可能であり、また、昼間使用時に室内が過度に暗くなるようなことがないという効果がある。
【図面の簡単な説明】
【００１５】
【図１】本発明に係る窓用シェードの一実施形態を示す分解図である。
【図２】本発明に係る窓用シェードの使用状態を示す図である。
【図３】本発明に係る窓用シェードの他の実施形態の要部を示す側面図である。
【図４】本発明に係る窓用シェードのシートの構造を示す断面図である。
【発明を実施するための形態】
【００１６】
本発明を実施するための形態につき、添付図面を参照しつつ説明する。本発明に係る窓用シェードは、透明フィルム２の表面に金属蒸着層３を形成し、金属蒸着層３の上に接着剤層４を介して補強材５を貼り合わせたシート１を設け、このシート１を室内側の窓面（ガラス面又は枠部）１２に吊下可能にして成る。
【００１７】
通例、シート１を構成する金属蒸着層３は、アルミニウムを真空蒸着して形成され、透明フィルム２としては、ポリプロピレンフィルム、ポリエステルフィルム、ポリエチレンフィルム等の高分子材料製のものが用いられる。また、補強材５は、金属蒸着層３上に配した透明なポリエチレン繊維を、ポリオレフィン系接着剤等の接着剤層４を介して熱圧着することにより形成することができる（図４）。
【００１８】
なお、好ましくは、金属蒸着層３の抵抗値が７〜１２Ω／□の範囲となるように設定する。本発明者は、種々試験した結果、金属蒸着層３の抵抗値をこの範囲に設定することにより、光線透過率を十分に透視が可能な７０〜９５％とすることができることを知得した。また、光線透過率がこの範囲であれば、本シェード使用中に室内が過度に暗くなることはない。
【００１９】
シート１は、室内側の窓面１２に、脱着自在な状態にて吊下される。そのための方法としては、吸盤付きクリップ６を用いる方法が簡便である。その場合、シート１の上端部を吸盤付きクリップ６のクリップ部７で挟み、その吸盤８を窓面１２の上部に吸着させることによってシート１を吊下する。但し、単にシート１の上端部を吸盤付きクリップ６で挟んだだけでは、シート１が誤って引っ張られた際等において、クリップ部７から外れて滑り落ちてしまうおそれがある。そこで、好ましい実施形態においては、シート１上縁部の少なくとも被挟持部分に、吸盤付きクリップ６からの脱落（滑り落ち）防止手段が配備される。
【００２０】
この脱落防止手段は、吸盤付きクリップ６のクリップ部７に対する係合手段、あるいは、高摩擦手段である。吸盤付きクリップ６のクリップ部７に対する係合手段は、クリップ部７の挟持面に形成される凹凸部に係わり合う何らかの凹凸部である。この凹凸部を設けるための最も簡便な方法は、ステイプラー止めである。即ち、シート１の上端部をその状態のまま、あるいは、１折り又は２折りしてステイプラー止めするだけで、残存するステイプラーの針９を以て、吸盤付きクリップ６のクリップ部７に係止される凹凸部となし得るのである。
【００２１】
また、他の脱落防止手段として、断面Ｕ字状であって対向する内側面１６、１７に、シート１の上縁部を挟んで係合し合う係合手段１８、１９を有する、通例、樹脂製の弾性クリップ１５を用いることが考えられる（図３）。この弾性クリップ１５は、開いた状態においてシート１の上縁部を差し込み（図３（Ａ））、単に閉じて係合手段１８、１９同士を係合させるだけで、シート１の上縁部を強固に挟持させることができる（図３（Ｂ））。弾性クリップ１５は、長尺に形成してシート１の上縁全長に亘るように取り付けることとしてもよいし、短尺に形成して複数配置することとしてもよい。
【００２２】
この弾性クリップ１５を用いた場合は、係合手段１８、１９同士を係合させてシート１の上縁部を挟持させた状態において下部よりも上部部分が膨らんだ状態となるので、クリップ部７によって係止させるに適した状態となる（図３（Ｂ）参照）。
【００２３】
また、上記弾性クリップ１５に代えて、係止用の凹凸部を適宜形成した樹脂板を、シート１上縁部の全長に亘り又は被挟持部分に定着することとしてもよい。更に、吸盤付きクリップ６のクリップ部７に対する他の係合手段として、クリップ部７の挟持面とシート１上縁部の被挟持部分に、それぞれ対応する面ファスナーを定着することが考えられる。
【００２４】
一実施形態においては、シート１の下端部に、シート１の弛みをなくすための重りが配設される。通例、重りとしては、その全幅に亘って配置される棒材１０が用いられ、この棒材１０として、全長に亘って切離部１１が形成された樹脂製パイプ材を用いることができる。その場合はシート１の下端部を、棒材１０の一端部からその切離部１１内にずらし入れていく。また、長尺に形成した上記弾性クリップ１５をシート１の下縁部に取り付けて、重りとすることもできる。
【００２５】
本発明に係る窓用シェードは、シート１の上縁部に取り付けられた脱落防止手段を吸盤付きクリップ６のクリップ部７で挟み、吸盤付きクリップ６の吸盤８を室内側窓面１２の上部に吸着させることによってシート１を吊下して用いる。その吊下により、夏期には太陽光を反射して室内側に熱が伝わることを防止することができ、また、冬期には室内の熱を反射して熱が逃げることを防止することができる。かくして、本シェードを用いることにより、一年を通して好適な室内環境を維持することが可能となる。なお、夏期、冬期共に、金属蒸着層３を外向きにして使用してもよいし、内向きにして使用してもよい。
【００２６】
この発明をある程度詳細にその最も好ましい実施形態について説明してきたが、この発明の精神と範囲に反することなしに広範に異なる実施形態を構成することができることは明白である。従って、この発明は、特許請求の範囲において限定した以外はその特定の実施形態に制約されるものではない。
【符号の説明】
【００２７】
１      シート
２      透明フィルム
３      金属蒸着層
４      接着剤層
５      補強材
６      吸盤付きクリップ
７      クリップ部
８      吸盤
９      ステイプラーの針
１０      棒材
１１      切離部
１２      窓面
１５      弾性クリップ
１６      内側面
１７      内側面
１８      係合手段
１９      係合手段
【図１】
2013147815.tif 000003
【図２】
2013147815.tif 000004
【図３】
2013147815.tif 000005
【図４】
2013147815.tif 000006